(57)【要約】【課題】複数のファクシミリ基板が接続される場合であっても、放射ノイズを軽減するとともに、共通化されたファクシミリ基板およびファクシミリ装置を提供する。【解決手段】基本クロック信号を出力する発振器と、前記基本クロック信号の周波数を分周する分周器及び／又は前記基本クロック信号の周波数を逓倍する逓倍器を有する変調手段と、前記変調手段が出力する変調クロック信号に同期して送受信した信号を変復調するモデムと、前記変調手段が出力する変調クロック信号の周波数を、他のファクシミリ基板に備えられた変調手段が出力する変調クロック信号の周波数と相違させる制御手段と、を備える。【選択図】図５
2008005015.tif 000002
【特許請求の範囲】
【請求項１】
基本クロック信号を出力する発振器と、
前記基本クロック信号の周波数を分周する分周器及び／又は前記基本クロック信号の周波数を逓倍する逓倍器を有する変調手段と、
前記変調手段が出力する変調クロック信号に同期して送受信した信号を変復調するモデムと、
前記変調手段が出力する変調クロック信号の周波数を、他のファクシミリ基板に備えられた変調手段が出力する変調クロック信号の周波数と相違させる制御手段と、
を備えるファクシミリ基板。
【請求項２】
分周器の分周数を変化させることで、
前記分周器が出力する変調クロック信号の周波数を、他のファクシミリ基板に備えられた分周器が出力する変調クロック信号の周波数と相違させる制御手段と、
を備える請求項１記載のファクシミリ基板。
【請求項３】
逓倍器の逓倍数を変化させることで、
前記逓倍器が出力する変調クロック信号の周波数を、他のファクシミリ基板に備えられた逓倍器が出力する変調クロック信号の周波数と相違させる制御手段と、
を備える請求項１又は２に記載のファクシミリ基板。
【請求項４】
請求項１ないし３のいずれかに記載のファクシミリ基板を複数備えるファクシミリ装置。
【請求項５】
基本クロック信号を出力する発振器と、前記基本クロック信号の周波数を分周する分周器及び／又は前記基本クロック信号の周波数を逓倍する逓倍器を有する変調手段と、前記変調手段が出力するクロック信号に同期して送受信した信号を変復調するモデムと、を含む複数のファクシミリ基板と、
前記複数のファクシミリ基板毎に、前記変調手段が出力する変調クロック信号の周波数を相違させる制御手段と、
を備えるファクシミリ装置。
【請求項６】
ファクシミリ基板が接続された位置を検出する検出手段を備えるとともに、
前記制御手段が、前記検出手段が検出した接続位置に基づいて、前記分周器の分周数及び／又は前記逓倍器の逓倍数を相違させる
請求項４又は５に記載のファクシミリ装置。
【請求項７】
ファクシミリ基板が接続された数を検出する検出手段を備えるとともに、
前記制御手段が、前記検出手段が検出した接続数に基づいて、前記分周器の分周数及び／又は前記逓倍器の逓倍数を相違させる
請求項４又は５に記載のファクシミリ装置。
【発明の詳細な説明】
【技術分野】
【０００１】
本発明は、ファクシミリ基板及びファクシミリ装置に関し、詳しくは、本体基板に複数接続されるファクシミリ基板及びファクシミリ装置に関する。
【背景技術】
【０００２】
従来から、複数回線に対応することができるファクシミリ装置が知られている。このようなファクシミリ装置は、例えば装置本体に内蔵された本体基板に、オプション用のファクシミリ基板が追加接続されることにより、複数の回線に対応可能となっている。
【０００３】
ファクシミリ基板には、同期信号となるクロック信号を発振するための発振器が搭載されている。発振器の構成は、基板の生産性を向上するために共通化されており、発振するクロック信号の周波数は同一となっている。
【０００４】
このため、複数回線対応型のファクシミリ装置においては、同一の周波数をもつクロック信号が重なり合って、その結果放射ノイズが増加する傾向にあった。放射ノイズは、周波数によって他の電子機器に誤作動や性能低下などの悪影響を及ぼす場合があり、例えばテレビの画像を乱したり、携帯電話の電波を乱すといった不具合を引き起こす原因となっていた。このため、放射ノイズに対する種々の基準が設けられており、これらの基準を満たさない限り、製品として上記基準を満たすことを示す規格を取得することができなかった。
【０００５】
そこで、上記基準を満たすため放射ノイズに対する様々なＥＭＩ（Electro  Magnetic  Interference）対策がとられている。
【０００６】
例えば、ＥＭＩ対策の最も基本的なものの一つとして、複数の基板ごとに周波数の異なる発振器を搭載する方法がとられている。この方法によれば、複数のクロック信号の周波数が相互にずれる結果、周波数が互いに干渉しあって放射ノイズが重なり合うのを防止することが出来る。
【０００７】
また、一般的に本体基板とファクシミリ基板とを接続するケーブルにフェライトコアを装着する対応策もとられている。この対応策によれば、ケーブルにノイズとなる高周波電流が流れた場合であっても、フェライトコアが放射ノイズのエネルギを吸収して熱に変え、ケーブルから発生する放射ノイズを抑えるようにしている。
【０００８】
さらに、例えば特開２００１−１１１７４５号公報に記載されているように、スペクトラム拡散クロックジェネレータ（以下、ＳＳＣＧという。）を用いる対応策もとられている。ＳＳＣＧを用いることで、クロック信号の周波数をわずかに拡散させて発振させることができ、各基本クロック信号が放射する放射ノイズを低く抑えることができるという効果が期待されている。
【特許文献１】特開２００１−１１１７４５号公報
【発明の開示】
【発明が解決しようとする課題】
【０００９】
ところが、上述のような対応策をとるにしても、依然として以下のような問題点が残っていた。
【００１０】
まず、複数の基板ごとに周波数の異なる発振器を搭載する方法についてであるが、このように構成が異なる基板は、同一の生産ラインによって生産されないことから生産性を低下させ、結果として生産コストを高める原因の一つになっていた。
【００１１】
また、上述のようにフェライトコアを用いることによって放射ノイズを軽減することが出来るのであるが、フェライトコアは、ファクシミリ装置を構成する上で本来不必要な部品であり、生産コストを高める要因となっていた。
【００１２】
さらに、ＳＳＣＧを使用する場合については、各基本クロック信号によって輻射されるそれぞれの放射ノイズは軽減することが出来るのであるが、それらのノイズが重なり合うことによって増大する放射ノイズは軽減することができていなかった。
【００１３】
本発明は、上記従来の問題を解決するために提案するものであって、複数のファクシミリ基板を接続する場合であっても、基板を共通化することが可能であり、かつ、複数の基本クロック信号が重なり合うことによる放射ノイズの増大を回避することができるファクシミリ基板及びこれを備えたファクシミリ装置を提供することを目的とする。
【課題を解決するための手段】
【００１４】
本発明のファクシミリ装置は、複数のファクシミリ基板が接続されることを前提としている。そして、このようなファクシミリ装置において、基本クロック信号を出力する発振器と、前記基本クロック信号の周波数を分周する分周器及び／又は前記基本クロック信号の周波数を逓倍する逓倍器を有する変調手段と、変調手段が出力する変調クロック信号に同期して送受信した信号を変復調するモデムと、を有するファクシミリ基板が備えられている。発振器から出力された基本クロック信号は、分周器及び／又は逓倍器によって分周及び／又は逓倍された後、モデムへと入力される。モデムは、分周器又は逓倍器から出力された変調クロック信号に同期しながら送受信した信号を変復調する。
【００１５】
また、本発明のファクシミリ装置の重要な点は、前記変調手段が出力する変調クロック信号の周波数を、他のファクシミリ基板に備えられた変調手段が出力する変調クロック信号の周波数と相違させる制御手段が備えられている点である。
【００１６】
上記構成によれば、変調手段が出力する変調クロック信号は、複数のファクシミリ基板毎に周波数が異なるため、同一の周波数の放射ノイズが重なり合うことはなく、放射ノイズが大きくなるのを防ぐことが出来る。また、ファクシミリ基板は全て同一の構成からなるため、ファクシミリ基板を同一の生産ラインにより生産することができ、生産コストを抑えることが出来る。
【００１７】
なお、制御手段は、ファクシミリ基板ではなくファクシミリ装置の本体基板に設けることも出来、その場合は、本体基板の制御手段が前記変調手段の制御を行うこととなる。
【００１８】
さらに、本発明において、ファクシミリ基板が接続されているかを検出する検出手段を備えるとともに、前記制御手段が、前記検出手段の検出結果に基づいて、前記分周器及び／又は逓倍器の分周数及び／又は逓倍数を変化させるようにすることができる。
【００１９】
上記構成によれば、ファクシミリ基板が本体基板に接続された場合、検出手段の検出結果により、分周器及び／又は逓倍器の分周数及び／又は逓倍数を自動的に設定されるよう制御されるため、ユーザーがファクシミリ基板の接続時のたびに分周器及び／又は逓倍器の分周数及び／又は逓倍数の設定を行うという手間を省くことが出来る。
【発明の効果】
【００２０】
以上のような構成を採用することにより、本発明では、複数のファクシミリ基板を接続する場合であっても、放射ノイズを回避するとともに、基板の構成を共通化することで同一の生産ラインで生産することが可能となるファクシミリ基板及びこれを備えたファクシミリ装置を提供することが出来る。
【発明を実施するための最良の形態】
【００２１】
以下、添付図面を参照して、本発明の実施の形態につき説明し、本発明の理解に供する。
【００２２】
図１は、本実施形態におけるファクシミリ装置の全体構成図である。本実施の形態のファクシミリ装置１００は、ファクシミリ機能とコピー機能を併有するいわゆるデジタル複合機として具体化されており、画像読取部１０１、画像形成部１０２、を備えており、それぞれが本体基板１２０に制御される。
【００２３】
即ち、画像読取部１０１は、原稿台１０５上の原稿の画像情報を読み取るためのものであり、光源１０６ａ、ミラー１０６ｂ、ＣＣＤ１０６ｃ等からなる光学ユニット１０６を有している。光源１０６ａから照射された光は原稿台１０５上の原稿に反射し、ミラー１０６ｂを介してＣＣＤ１０６ｃへと導かれる。ＣＣＤ１０６ｃは、入射された光を光電変換することで、原稿の画像データを生成することができる。
【００２４】
画像形成部１０２は、給紙カセット１０７から給紙される用紙に対して画像形成を行うためのものであり、感光体ドラム１０８と、その周囲に配置された帯電器１０９、露光器１１０、現像器１１１及び転写器１１２等と、その下流側に配置された定着装置１１３とを有している。感光体ドラム１０８表面を帯電器１０９によって帯電し、引き続いて露光器１１０により画像データに応じて光を照射することで、感光体ドラム１０８上に静電潜像を形成する。そして、現像器１１１が前記静電潜像にトナーを付着することで、感光体ドラム１０８上にトナー像が形成され、その後トナー像は転写器１１２によって用紙に転写される。このようにして、ファクシミリ装置１００における画像形成処理が行われる。
【００２５】
次に、ファクシミリ基板２１０が前記本体基板１２０に接続される場合について説明する。図２は、本実施形態におけるファクシミリ基板と本体基板との接続箇所を示す斜視図である。図３は、本実施形態におけるファクシミリ基板と本体基板との接続箇所を示す断面図である。
【００２６】
前記ファクシミリ装置１００は、複数のファクシミリ回線に対応可能となっており、ファクシミリ装置１００に設けられた本体基板１２０には、1回線目に対応する第1ファクシミリ基板２１０ａと、２回線目に対応する第２ファクシミリ基板２１０ｂが、それぞれ着脱可能に取り付けられている。
【００２７】
本体基板１２０には、ファクシミリ基板２１０（２１０ａ、２１０ｂ）を挿入するために形成された凹部２０２ａを有する複数のコネクタ２０２が設けられている。図３Ａに示すように、凹部２０２ａ内には、例えばくの字状に形成された２本の鋼材からなる接続ピン２０３が配設されている。この接続ピン２０３は、構成が同一である第１接続ピン及び第２接続ピンからなっている。各接続ピン２０３は、凹部２０２ａの内側に向かって曲折して突出する曲折部２０３ａを備えている。また、各接続ピン２０３の一端部２０３ｂは、本体基板１２０に設けられた貫通孔を貫通し、図示しない導線によって後述するＣＰＵに電気的に接続されている。
【００２８】
また、凹部２０２ａ内には、ファクシミリ装置１００からファクシミリ基板２１０上の集積回路に電源を供給するための電源供給ピンが備えられている。電源供給ピンの構成は、前記接続ピン２０３の構成と同様となっている。
【００２９】
各ファクシミリ基板２１０ａ、２１０ｂは、複数の集積回路が実装された薄板状の部材からなり、接続端子２１１を備えている。この接続端子２１１は、第１接続端子２１１ａと第２接続端子２１１ｂから構成されており、両接続端子２１１ａ、２１１ｂとも図示しない導線により後述するＣＰＵ３１４と電気的に接続されている。第１接続端子２１１ａは第１接続ピンに接続し、第２接続端子２１１ｂは第２接続ピンと接続する。
【００３０】
図３Ｂは、接続端子２１１と接続ピン２０３の接続状態を示した図である。接続端子２１１は、凹部２０２ａ内に挿入されると、接続ピン２０３の曲折部２０３ａにより両側から付勢されて挟持された状態を維持する。
【００３１】
また、各ファクシミリ基板２１０ａ、２１０ｂは、ファクシミリ装置１００から電圧を印加するための電源端子２１２を備えている。電源端子２１２が前記電源供給ピンに接続されることで、ファクシミリ装置１００からの電圧がファクシミリ基板２１０の各集積回路に供給される。なお、電源端子２１２と電源供給ピンの接続方法は、接続端子２１１と接続ピン２０３の接続方法と同様である。
【００３２】
以上のようにして、第１及び第２ファクシミリ基板２１０ａ、２１０ｂは、本体基板１２０に接続される。
【００３３】
次に、本実施形態におけるファクシミリ装置の概略構成について説明する。図４は、本実施形態におけるファクシミリ装置１００の概略構成図である。
【００３４】
ファクシミリ装置１００は、ＣＰＵ（Central Processing Unit）４０１、ＲＡＭ（Random Access Memory）４０２、ＲＯＭ（Read Only Memory）４０３、上記画像形成処理等における各駆動部が内部バスを介して接続されている。上記ＣＰＵ４０１は、例えばＲＡＭ４０２を作業領域として利用し、ＲＯＭ４０３に記憶されているプログラムを実行し、当該実行結果に基づいて、同じくＲＯＭ４０３に記憶されている、各駆動部に対応するドライバとデータや命令を授受することにより各駆動部の動作を制御する。
【００３５】
また、ファクシミリ基板２１０にも本体基板１２０と同様に、ＣＰＵ４１４、ＲＡＭ４１５、ＲＯＭ４１６が備えられている。さらに、ファクシミリ基板２１０は、発振器４１１と、ＡＳＩＣ４１２と、モデム４１３を備えている。そして、これらに対応するドライバが前記ＲＯＭ４０３等に格納されており、前記ＣＰＵ４１４が、これらのドライバとデータや命令を授受することにより、発振器４１１、ＡＳＩＣ（Application  Specific  Integrated  Circuit）４１２、モデム４１３等の動作を制御する。
【００３６】
なお、第１ファクシミリ基板２１０ａと第２ファクシミリ基板２１０ｂとは、本体基板１２０にそれぞれ別々に接続されているが、ファクシミリ基板２１０自体は同一の構成となっている。このように、複数のファクシミリ基板２１０ａ、２１０ｂが同一の構成になっていることから、同一の生産ラインにより生産することができ、結果として生産性を向上させることが出来る。
【００３７】
次に、ファクシミリ装置１００におけるファクシミリの通信手順について説明する。図５は、本実施形態におけるファクシミリ装置１００の制御関連を示すブロック図である。
【００３８】
発振器４１１は、周波数ｆINをもつ基本クロック信号を出力し、その出力された基本クロック信号はＡＳＩＣ４１２へと入力される。
【００３９】
ＡＳＩＣ４１２は、発振器４１１からの基本クロック信号が入力される逓倍器５０１と、当該逓倍器５０１の出力側に接続された分周器５０２と、当該分周器５０２の出力側に設けられたＰＬＬ回路５０３を備えている。
【００４０】
発振器４１１から出力された基本クロック信号は、逓倍器５０１へと出力される。逓倍器５０１は、逓倍制御手段５０４によって逓倍数Ｍを任意に設定することができるいわゆるプログラマブル機能を有しており、入力された基本クロック信号の周波数を変調させて変調クロック信号を生成する変調手段として用いられている。逓倍制御手段５０４による逓倍数の設定は、ファクシミリ基板２１０のＣＰＵ４１４がＲＯＭ４１６に格納されたプログラムを実行することにより行われる。この逓倍器５０１によって、基本クロック信号の周波数ｆINはＭ倍に逓倍される。Ｍ倍に逓倍されたｆIN×Ｍの周波数をもつクロック信号は、分周器５０２へと出力される。
【００４１】
分周器５０２は、分周制御手段５０５によって分周数Ｎを任意に設定することができるいわゆるプログラマブル機能を有しており、入力された基本クロック信号の周波数を変調させて変調クロック信号を生成する変調手段として用いられている。分周制御手段５０５による分周数の設定は、ファクシミリ基板２１０のＣＰＵ４１４がＲＯＭ４１６に格納されたプログラムを実行することにより行われる。この分周器５０２によって、逓倍器５０１から出力されたクロック信号の周波数ｆIN×Ｍは、１／Ｎ倍に分周される。
【００４２】
このようにして、発振器から発振された周波数ｆINの基本クロック信号は、逓倍器５０１及び分周器５０２に入力されることで、ｆIN×Ｍ／Ｎの変調クロック信号へと変調される。そして、この変調クロック信号は、ＰＬＬ回路５０３に入力される。
【００４３】
ＰＬＬ回路５０３は、デジタル信号で周波数を設定することによって正確な周波数のクロック信号を出力することができる回路で、位相比較器（ＰＤ）５０３ａ、ループフィルタ（ＬＦ）５０３ｂ、電圧制御発振器５０３ｃ（以下、ＶＣＯ５０３ｃという。）が直列に設けられることで構成されている。
【００４４】
位相比較器５０３ａは、分周器５０２から出力された基準周波数ｆREFをもつ信号と、ＶＣＯ５０３ｃから帰還ループ５０３ｄを介して出力された周波数ｆFBをもつ信号とを比較して位相差を検出する。そして、位相差が検出されると、それらの差異に相当する制御電圧信号を発生して、ループフィルタ５０３ｂへと出力する。
【００４５】
ループフィルタ５０３ｂは、入力された制御電圧信号の高周波成分を除去して直流の信号に変換するためのローパスフィルタである。ループフィルタ５０３で変換された直流の制御電圧はＶＣＯ５０３ｃへと出力される。
【００４６】
ＶＣＯ５０３ｃは、入力された直流信号によって発振周波数を制御することが出来る、可変周波数発振器である。このＶＣＯ５０３ｃにより、前記制御電圧に基づいて周波数ｆOUTの信号が出力される。
【００４７】
以上のようにして、ＡＳＩＣ４１２から出力された変調クロック信号の周波数ｆOUTは、発振器４１１から出力された基本クロック信号の周波数ｆINとの間で、ｆOUT＝ｆIN×Ｍ／Ｎの関係にある。そして、逓倍数Ｍと分周数Ｎは、逓倍制御手段５０４と分周制御手段５０５によって複数のファクシミリ基板１１０ごとに自由に変更することが出来るため、クロック信号の周波数ｆOUTを所望の値に設定することができる。
【００４８】
次に、逓倍制御手段５０４と分周制御手段５０５による逓倍数Ｍと分周数Ｎの切替方法について説明する。
【００４９】
まず、検出手段５０６により、ファクシミリ基板２１０が本体基板１２０に接続されているかという接続の有無が検出される。さらに、ファクシミリ基板２１０が接続されている場合には、本体基板１２０のどの位置に接続されているかという接続位置も検出される。検出手段５０２は、本体基板１２０のＣＰＵ４０１がＲＯＭ４０３に格納されたプログラムを実行することにより動作する。
【００５０】
ファクシミリ基板２１０の接続の有無は、接続端子２１１と接続ピン２０３が接触することによって、本体基板１２０の電子回路の抵抗値が高い値を示すか否かで検出することができるようになっている。すなわち、接続端子２１１と接続ピン２０３の接触によって、ファクシミリ基板２１０と本体基板１２０とが電気的に接続すると、ファクシミリ基板２１０の集積回路が通電され、本体基板１２０の電子回路の抵抗値が高い値を示すこととなる。
【００５１】
また、接続ピン２０３と接続端子２１１の電気的接続によって、本体基板１２０に接続されているのが第１ファクシミリ基板２１０ａであるか第２ファクシミリ基板２１０ｂであるかを検出することができるようになっている。例えば、第１ファクシミリ基板２１０ａが挿入されるコネクタ２０２は、第１接続ピンのみが電気的に接続可能となっている。したがって、第１接続ピンと第１接続端子２１１ａが電気的に接続した場合は、第１ファクシミリ基板２１０ａが接続されたこと示していることとなる。他方、第２ファクシミリ基板２１０ｂが挿入されるコネクタ２０２は、第２接続ピンのみが電気的に接続可能となっている。したがって、第２接続ピンと第２接続端子２１１ｂが電気的に接続した場合は、第２ファクシミリ基板２１０ｂが接続されたことを示していることとなる。
【００５２】
このようにして、検出手段５０６によって、第１ファクシミリ基板２１０ａが本体基板１２０に接続されていることが検出された場合、検出した旨の信号が第１ファクシミリ基板２１０ａの逓倍制御手段５０４及び分周制御手段５０５へと送信される。
【００５３】
検出信号を受信した逓倍制御手段５０４は、図６Ａに示すように、逓倍器５０１に対して、逓倍数Ｍ１を例えばＭ１＝１００となる旨の命令を出す。また、検出信号を受信した分周制御手段５０５は、分周器５０２に対して、分周数Ｎ１を例えばＮ１＝１００となる旨の命令を出す。この場合、第１ファクシミリ基板２１０ａのモデムに入力される変調クロック信号は、発振器４１１から出力された基本クロック信号の周波数ｆINと同じ周波数となる。
【００５４】
第１ファクシミリ基板２１０ａに続いて第２ファクシミリ基板２１０ｂが接続された場合も、同じようにして、検出手段５０６が接続の有無を検出するとともに、その検出信号を逓倍制御手段５０４及び分周制御手段５０５に送信する。
【００５５】
検出信号を受信した逓倍制御手段５０４は、図６Ｂに示すように、逓倍器５０１に対して、例えば逓倍数Ｍ２をＭ２＝１００となる旨の命令を出す。また、検出信号を受信した分周制御手段５０４は、分周器５０２に対して、例えば分周数Ｎ２をＮ２＝１０１となる旨の命令を出す。この場合、第２ファクシミリ基板２１０ｂのモデムに入力される変調クロック信号は、発振器４１１から出力された基本クロック信号の周波数ｆINと比較すると、ｆIN×１００／１０１の周波数となる。
【００５６】
以上のようにして、第１ファクシミリ基板２１０ａと第２ファクシミリ基板２１０ｂとでは、逓倍器５０１の逓倍数と分周器５０２の分周数のうち少なくとも一方を相違させて設定することで、ファクシミリ基板毎にクロック信号の周波数を異ならせることができる。
【００５７】
本実施形態では、逓倍数Ｍを等しくして（Ｍ１＝Ｍ２＝１００）、分周数Ｎのみを相違させているが（Ｎ１＝１００、Ｎ２＝１０１）、上述したように、逓倍数のみを相違させてもよいし、逓倍数と分周数の両方を相違させてもよい。
【００５８】
ただし、逓倍数と分周数の両方を相違させる場合は、逓倍数と分周数の比（Ｍ／Ｎ）がファクシミリ基板２１０毎に異なるように相違させる必要がある。上述のように、モデムに入力されるクロック信号の周波数はｆIN×Ｍ／Ｎになるところ、逓倍数Ｍと分周数Ｎの双方が異なっていたとしても、それらの比Ｍ／Ｎが等しければ、クロック信号の周波数ｆIN×Ｍ／Ｎは等しくなってしまうからである。
【００５９】
その後、ＡＳＩＣ４１２より出力された変調クロック信号は、モデム４１３へと入力される。モデム４１３は、この変調クロック信号に同期して、例えば電話回線５０９から画像データを受信するとともに、その画像データを復調する。復調された画像データは、受信メモリ５０７に送信されてそこで一時的に記憶される。
【００６０】
受信メモリ５０７に一時記憶された画像データは、本体基板１２０の印刷メモリ５０８に転送され、その後印刷メモリ５０８から読み出されて画像形成部１０２により印刷される。
【００６１】
以上のように、逓倍数と分周数の比を相違させることで、モデム４１３ごとに入力される変調クロック信号の周波数を異ならせることが出来、同一の周波数の放射ノイズが重なり合うことによる放射ノイズの増大を防ぐことが出来る。
【００６２】
また、従来のように異なる周波数をもつクロック信号を発振する発振器４１１を配設する必要はないので、ファクシミリ基板２１０を全て同一の構成とすることができる。これにより、ファクシミリ基板２１０を同一の生産ラインで生産でき、結果として生産コストを抑えることが出来る。
【００６３】
さらに、本来不要なフェライトコア等のＥＭＩ対策用の部品を必ずしも使用する必要はなく、結果として、製造コストを削減することが出来る。
【００６４】
尚、上述した実施の形態は、本発明を具体化した一例であって、本発明の技術的範囲を限定する性格のものではない。
【００６５】
また、上述の実施形態におけるファクシミリ基板は、分周器及び逓倍器の両方を備えているが、これに限定されるわけではなく、例えば分周器と逓倍器のいずれか一方のみを備えていてもよい。したがって、分周器のみがファクシミリ基板に備えられている場合は、分周器の分周数のみを変化させることで、モデムごとに入力される変調クロック信号の周波数を異ならせることができる。また、逓倍器のみがファクシミリ基板に備えられている場合は、逓倍器の逓倍数のみを変化させることで、モデムごとに入力される変調クロック信号の周波数を異ならせることができる。
【００６６】
次に、別の実施の形態におけるファクシミリ装置について説明する。図７は、別の実施形態におけるファクシミリ装置の制御関連を示すブロック図である。
【００６７】
ファクシミリ基板７１０は、発振器７１１、ＡＳＩＣ７１２、モデム７１３を備えている。これらの構成については、上述と同様なので説明は省略する。本実施形態のファクシミリ基板７１０が、上述の実施形態のファクシミリ基板７１０と異なる点は、逓倍制御手段７０１及び分周制御手段７０２が、本体基板７００に備えられている点である。すなわち、上述の実施形態においては、逓倍器の逓倍数５０１及び分周器５０２の分周数は、ファクシミリ基板２１０に備えられた逓倍制御手段５０４及び分周制御手段５０５により制御されているのに対して（図５）、本実施形態では、本体基板７００に備えられた逓倍制御手段７０１及び分周制御手段７０２により制御される。
【００６８】
以下、ファクシミリの通信手順について説明する。
【００６９】
まず、検出手段７０３は、本体基板７００に接続されたファクシミリ基板７００の数を検出する。検出方法については、上述と同様に、電源端子が電源供給ピンに接触することによって検出される。その結果、検出手段７０３が第１ファクシミリ基板７１０ａ及び第２ファクシミリ基板７１０ｂの２つのファクシミリ基板７１０が接続されていることを検出すると、その旨の検出信号を本体基板７００に備えられた逓倍制御手段７０１及び分周制御手段７０２に送信する。
【００７０】
検出信号を受信した逓倍制御手段７０１及び分周制御手段７０２は、それぞれ第1ファクシミリ基板の逓倍器７１４及び分周器７１５に対して、逓倍数と分周数を設定する。また同様にして、それぞれ第２ファクシミリ基板の逓倍器７１４及び分周器７１５に対して、逓倍数と分周数を設定する。ここで、上述と同様、第１ファクシミリ基板と第２ファクシミリ基板とでは、逓倍器７１４の逓倍数と分周器７１５の分周数のうち少なくとも一方を相違させて設定する。
【００７１】
こうすることで、モデム７１３ごとに入力するクロック信号の周波数を異ならせることができ、同一の周波数をもつクロック信号が重なり合うことによって、放射ノイズが増大するのを防止することが出来る。
【００７２】
次に、更に別の実施の形態におけるファクシミリ装置について説明する。図８は、更に別の実施形態における装置の制御関連を示すブロック図である。ファクシミリ基板８１０は、発振器８１１と、ＡＳＩＣ８１２と、モデム８１３とを備えている。
【００７３】
発振器８１１によって出力された周波数ｆINの基本クロック信号は、ＡＳＩＣ８１２に入力される。
【００７４】
ＡＳＩＣ８１２は、発振器８１１の出力側に接続された第１分周器８１４と、該第１分周器８１４の出力側に接続されたＰＬＬ回路８１６と、該ＰＬＬ回路８１６のフィードバックループ８１６ｄに設けられた第２分周器８１５とを備える。
【００７５】
発振器８１１から出力された基本クロック信号は、まず第１分周器８１４に入力される。第１分周器８１４は、第１分周制御手段８１７によって分周数Ｐを任意に設定することができるいわゆるプログラマブル機能を有している。第１分周制御手段８１７による分周数の設定は、ファクシミリ基板８１０のＣＰＵがＲＯＭに格納されたプログラムを実行することにより行われる。この第１分周器８１４によって１／Ｐ倍に分周されたクロック信号は、位相比較を行うための基準周波数ｆREFとしてＰＬＬ回路８１６に入力される。
【００７６】
また、第２分周器８１５は、ＶＣＯ８１６ｃから位相比較器８０６ａへ帰還するフィードバックループ８１６ｄに設けられており、第２分周制御手段８１８によって分周数Ｑを任意に設定することができる。ＶＣＯ８１６ｃから出力される周波数ｆFBの信号は、第２分周器８１５によって分周数Ｑで分周されて位相比較８１６ａへと入力される。
【００７７】
ＰＬＬ回路８１６は、上述と同様、位相比較器８１６ａ、ループフィルタ８１６ｂ、ＶＣＯ８１６ｃが直列に設けられることで構成されている。
【００７８】
位相比較器８１６ａは、第１分周器８１４から出力された基準周波数ｆREF（＝ｆIN／Ｐ）をもつ信号と、第２分周器８１５から出力された周波数ｆFB／Ｑをもつ信号とを比較して位相差を検出する。そして、位相差が検出されると、それらの差異に相当する制御電圧信号を発生して、ループフィルタ８１６ｂへと出力する。
【００７９】
ループフィルタ８１６ｂは、前記制御電圧信号を直流の信号に変換して、これを制御電圧としてＶＣＯ８１６ｃへ出力する。ＶＣＯ８１６ｃは、前記制御電圧に基づいて制御された周波数ｆOUTの信号を出力する。
【００８０】
以上のようにして、発振器８１１から出力される周波数ｆINの基本クロック信号は、ＡＳＩＣ８１２に入力されて、ｆIN×Ｑ／Ｐの周波数をもつ変調クロック信号に変調される。
【００８１】
次に、第１分周制御手段８１７と第２分周制御手段８１８による分周数Ｐと分周数Ｑの切替方法について説明する。
【００８２】
まず、上述と同様に、検出手段８０１により、本体基板８００にファクシミリ基板８１０が接続されているか否かが検出される。そして、検出手段８０１によって、第１ファクシミリ基板８１０ａが本体基板８００に接続されていることが検出された場合、検出した旨の信号が第１ファクシミリ基板８１０ａの第１分周制御手段８１７及び第２分周制御手段８１８へと送信される。
【００８３】
検出信号を受信した第１分周制御手段８１７は、第１分周器８１４に対して、分周数Ｐ１を例えばＰ１＝１００となるように命令を出す。また、検出信号を受信した第２分周制御手段８１８は、第２分周器８１５に対して、分周数Ｑ１を例えばＱ１＝１００となるように命令を出す。この場合、第１ファクシミリ基板８１０ａのモデムに入力されるクロック信号は、発振器８１１から出力された基本クロック信号の周波数ｆINと同じ周波数となる。
【００８４】
第１ファクシミリ基板８１０ａに続いて第２ファクシミリ基板８１０ｂが接続された場合も、同じようにして、検出手段８０１が接続の有無を検出するとともに、その検出信号を第１分周制御手段８１７及び第２分周制御手段８１８に送信する。
【００８５】
検出信号を受信した第１分周制御手段８１７は、第１分周器８１４に対して、分周数Ｐ２を例えばＰ２＝１０１となるように命令を出す。また、検出信号を受信した第２分周制御手段８１８は、第２分周器８１５に対して、分周数Ｑ２を例えばＱ２＝１００となるように命令を出す。この場合、第２ファクシミリ基板８１０ｂのモデムに入力されるクロック信号は、発振器８１１から出力された基本クロック信号の周波数ｆINと比較すると、ｆIN×１００／１０１の周波数となる。
【００８６】
以上のようにして、第１ファクシミリ基板８１０ａと第２ファクシミリ基板８１０ｂとでは、第１分周器８１４の分周数Ｐと、第２分周器８１５の分周数Ｑの比Ｑ／Ｐの値を異なる値にすることでモデム８１３に入力されるクロック信号の周波数を異ならせることができる。
【００８７】
なお、ファクシミリ基板８１０毎に分周数Ｐ、Ｑの一方又は双方を相違させればよいのであるが、Ｐ、Ｑの双方を相違させる場合は、比Ｑ／Ｐが異なる値となるようにＰ、Ｑを決定する。
【産業上の利用可能性】
【００８８】
本発明にかかるファクシミリ基板及びファクシミリ装置は、放射ノイズを低減するとともに、生産性の向上を図ることが出来、ファクシミリ装置のみならず、ファクシミリ機能を有する複写機やプリンタ、複合機など様々な機器に有用である。
【図面の簡単な説明】
【００８９】
【図１】本実施の形態におけるファクシミリ装置の全体構成図。
【図２】本実施の形態におけるファクシミリ基板と本体基板の接続部分の斜視図。
【図３】本実施の形態におけるファクシミリ基板と本体基板の接続部分の断面図。
【図４】本実施の形態におけるファクシミリ装置の概略構成図。
【図５】本実施の形態における制御関連の構成を示す概略ブロック図。
【図６】本実施の形態におけるクロック信号の周波数を説明するための図。
【図７】別の実施の形態における制御関連の構成を示す概略ブロック図。
【図８】更に別の実施の形態における制御関連の構成を示す概略ブロック図。
【符号の説明】
【００９０】
１２０  本体基板
２０２  コネクタ
２０３  接続ピン
２１０  ファクシミリ基板
４１１  発振器
４１２  ＡＳＩＣ
４１３  モデム
５０１  逓倍器
５０２  分周器
５０３  ＰＬＬ回路
５０３ａ  位相比較器
５０３ｂ  ループフィルタ
５０３ｃ  ＶＣＯ
５０４  逓倍制御手段
５０５  分周制御手段
５０６  検出手段
【図１】
2008005015.tif 000003
【図２】
2008005015.tif 000004
【図３】
2008005015.tif 000005
【図４】
2008005015.tif 000006
【図５】
2008005015.tif 000007
【図６】
2008005015.tif 000008
【図７】
2008005015.tif 000009
【図８】
2008005015.tif 000010